(57)【要約】【課題】表皮材を、基板に強固に止着するとともに、張設力を増大することにより、表皮材の弛みを抑え、長期に亘って良好な見栄えを維持しうるようにする。【解決手段】基板９における係止部１９よりも外方の周縁に、後方を向く突片２１を設け、この突片２１と係止部１９との間の表皮材１２の折り返し部１２a を、基板９の裏面に装着した背面板１３の外周端により、前方に押圧する。【選択図】  図８
2008142209.tif 000002
【特許請求の範囲】
【請求項１】
基板と、その表面に取付けたクッション材とを、基板の裏面中央部を残して、表皮材により覆い、この表皮材の周縁に形成された引締め部を、前記基板の裏面に突設した複数の係止部の外側面により受止し、かつ前記引締め部を、それに挿入した締付紐をもって緊張させることにより、前記表皮材を張設するようにした椅子における表皮材の張設構造において、
前記基板における係止部よりも外方の外周部に、裏面方向を向く突片を設け、この突片と前記係止部との間における表皮材の折り返し部を、前記基板の裏面に装着した背面板の外周端により、基板側に向かって押圧したことを特徴とする椅子における表皮材の張設構造。
【請求項２】
突片の突出寸法を、係止部よりも大としてなる請求項１記載の椅子における表皮材の張設構造。
【請求項３】
背面板の外周端を、表皮材の周端部を押圧しつつ、基板における突片と近接する内側に嵌合させてなる請求項１または２記載の椅子における表皮材の張設構造。
【請求項４】
背面板の少なくとも外周端部が、表皮材の押圧時に、基板の裏面と離れる方向に弾性変形するようにしてなる請求項１〜３のいずれかに記載の椅子における表皮材の張設構造。
【請求項５】
突片を、基板の周縁に、一体的に形成してなる請求項１〜４のいずれかに記載の椅子における表皮材の張設構造。
【請求項６】
クッション材を、突片の外周面まで延出させてなる請求項１〜５のいずれかに記載の椅子における表皮材の張設構造。
【請求項７】
基板と背面板との対向面のいずれか一方に、内面に係合爪を有する複数の筒状突部を、かつ他方に、前記各筒状突部に嵌合しうるとともに、係合爪と係合可能な係合片を外周面に有する軸状突部を、それぞれ、係止部よりも内側に設け、各筒状突部に軸状突部を嵌合し、かつ係合爪と係合片同士を互いに係合させることにより、基板の裏面に、背面板を装着してなる請求項１〜６のいずれかに記載の椅子における表皮材の張設構造。
【発明の詳細な説明】
【技術分野】
【０００１】
本発明は、椅子の背凭れや座体の基板に取付けたクッション材の表面を覆う表皮材の張設構造に関する。
【背景技術】
【０００２】
この種の表皮材の張設構造としては、例えば特許文献１に記載されているものがある。
【特許文献１】特開２００４−１３５７６８号公報
【発明の開示】
【発明が解決しようとする課題】
【０００３】
上記特許文献１に記載されている表皮材(上張地)の張設構造は、クッション材を取付けた基板(芯材)の裏面に、複数の係止部(段部)を設け、この係止部に、クッション材を覆う表皮材における周端縁の引締め部を係止し、締付紐を緊張させて、表皮材を均一に張設するようにしたものである。
しかし、上記のように、係止部に係止した表皮材における周端縁の引締め部を、単に締付紐を緊張させるだけで、基板に止着すると、表皮材に外部から張力が加わった際に、この張力が直接引締め部に作用して、締付紐が伸び、緊張力が低下して、表皮材が弛む恐れがある。
【０００４】
また、上記のような張設構造では、引締め部における締付紐の周長及び緊張力が、複数の係止部により一定に規制されてしまうため、表皮材の張設力を一定以上に大きくすることはできない。
そのため、椅子の使用中に、表皮材が伸びたり、クッション材の弾性が低下したりすると、表皮材が弛んで、見栄えが悪くなる恐れがある。
【０００５】
本発明は、上記問題点に鑑みてなされたもので、表皮材を、基板に強固に止着するとともに、張設力を増大することにより、表皮材の弛みを抑え、長期に亘って、良好な見栄えを維持させうるようにした、椅子における表皮材の張設構造を提供することを目的としている。
【課題を解決するための手段】
【０００６】
本発明によると、上記課題は、次のようにして解決される。
（１）基板と、その表面に取付けたクッション材とを、基板の裏面中央部を残して、表皮材により覆い、この表皮材の周縁に形成された引締め部を、前記基板の裏面に突設した複数の係止部の外側面により受止し、かつ前記引締め部を、それに挿入した締付紐をもって緊張させることにより、前記表皮材を張設するようにした椅子における表皮材の張設構造において、前記基板における係止部よりも外方の外周部に、裏面方向を向く突片を設け、この突片と前記係止部との間における表皮材の折り返し部を、前記基板の裏面に装着した背面板の外周端により、基板側に向かって押圧する。
【０００７】
（２）上記(１)項において、突片の突出寸法を、係止部よりも大とする。
【０００８】
（３）上記(１)または(２)項において、背面板の外周端を、表皮材の周端部を押圧しつつ、基板における突片と近接する内側に嵌合させる。
【０００９】
（４）上記(１)〜(３)項のいずれかにおいて、背面板の少なくとも外周端部が、表皮材の押圧時に、基板の裏面と離れる方向に弾性変形するようにする。
【００１０】
（５）上記(１)〜(４)項のいずれかにおいて、突片を、基板の周縁に、一体的に形成する。
【００１１】
（６）上記(１)〜(５)項のいずれかにおいて、クッション材を、突片の外周面まで延出させる。
【００１２】
（７）上記(１)〜(６)項のいずれかにおいて、基板と背面板との対向面のいずれか一方に、内面に係合爪を有する複数の筒状突部を、かつ他方に、前記各筒状突部に嵌合しうるとともに、係合爪と係合可能な係合片を外周面に有する軸状突部を、それぞれ、係止部よりも内側に設け、各筒状突部に軸状突部を嵌合し、かつ係合爪と係合片同士を互いに係合させることにより、基板の裏面に、背面板を装着する。
【発明の効果】
【００１３】
請求項１記載の発明によれば、基板における係止部よりも外方の外周部に、裏面方向を向く突片を設け、この突片と係止部との間における表皮材の折り返し部を、基板の裏面に装着した背面板の外周端により、基板側に向かって押圧することにより、周縁が締付紐の緊張により張設されている表皮材に、さらに大きな張力が加わるとともに、表皮材が突片の突出端に強く圧接するようになる。
その結果、表皮材の折り返し部が基板に強固に止着され、かつ張設力も増大することにより、表皮材が弛むのが抑えられ、長期に亘って良好な見栄えを維持することができる。
【００１４】
請求項２記載の発明によれば、表皮材の折り返し部が、基板の裏面から大きく離間し、表皮材の折り返し部の背面板による押圧代を大としうるので、表皮材を、より強固に基板に止着しうるとともに、その張設力もより増大する。
【００１５】
請求項３記載の発明によれば、表皮材の折り返し部が、突片の突出端に強く圧接するとともに、突片と背面板の外周端により挟持されるようになるので、表皮材はより弛みにくくなる。
【００１６】
請求項４記載の発明によれば、表皮材の折り返し部に、背面板の外周端部の弾性押圧力が常時作用し、表皮材には常に張力が付与されるので、椅子の使用中に、表皮材が伸びたり、クッション材の弾力が低下したりしても、表皮材が早期に弛む恐れはない。
【００１７】
請求項５記載の発明によれば、背面板を合成樹脂等により成形する際に、突片も容易に一体成形しうるとともに、基板の周端に、表皮材により覆われた均一な厚さの厚肉部が形成されるので、見栄えが向上する。
【００１８】
請求項６記載の発明によれば、基板の外周面がボリューム感を呈して、より見栄えが向上するとともに、緩衝作用を有するので、人が当たった際に不快感を与えることがない。
【００１９】
請求項７記載の発明によれば、表皮材の周縁を基板の裏面の係止部に止着し、表皮材を基板に張設したのち、筒状突部に軸状突部を嵌合させるだけで、基板の裏面に、背面板を簡単に装着することができる。
【発明を実施するための最良の形態】
【００２０】
以下、本発明の実施形態を、図面に基づいて説明する。
図１は、本発明を、背凭れに適用した椅子の後方斜視図である。      
【００２１】
椅子１は、先端にキャスタ２が取付けられた放射方向を向く５本の脚杆３からなる脚体４と、その中心に立設され、内部に収容されたガススプリング(図示略)により伸縮可能とされた脚柱５と、脚柱５の上端に固着された支基６と、支基６の上部に取付けられた座体７と、支基６の後端部に後傾可能に取付けられた背凭れ８とを備えている。
【００２２】
背凭れ８は、図２〜図９に示すように、後面視ほぼ方形をなす合成樹脂製の基板９と、基板９の裏面に取付けられた金属製の支持アーム１０と、基板９の前面に取付けられたスラブウレタン等よりなるクッション材１１と、クッション材１１の表面と、基板９の裏面の外周部とを覆うクロス等の表皮材１２と、基板９の後面に装着された合成樹脂製の背面板１３とよりなっている。
【００２３】
基板９は、後面図である図２及び横断面図である図３に示すように、平面視において、全体が後方になだらかな凸曲面状に湾曲され、外周端部には、後向きに膨出する凸条１４が、連続して形成され、外周部の曲げ剛性を高めている。また、凸条１４により囲まれた基板９の上方寄りと、左右方向の中央部にも、それぞれ左右方向を向く凸条１５と、上下方向を向く突出寸法の大きな左右２条の凸条１６、１６が、凸条１４と連続するようにして後向きに突設され、基板９の中央部の曲げ剛性を高めている。
左右の凸条１６の中央部には、支持アーム１０をねじ止めするためのめねじ孔１７が、上下２個ずつ穿設されている(図２参照)。
【００２４】
凸条１４における上部を除いた外周壁１４aの後端部には、複数(６個)の係止片１８が、外向きに突設されている。最上位と最下位の左右の係止片１８は、基板９の四隅部付近に位置されている。
凸条１４の外周壁１４aと係止片１８とにより、基板９の後面に、外方と周方向に開口するＬ字状断面の係止部１９が複数形成され(図３参照)、この各係止部１９により、表皮材１２の周縁に形成された後記する引締め部２７が、内側から受止されるようになっている。
【００２５】
図２及び図６に示すように、基板９の裏面における上端部にも、表皮材１２の周縁の引締め部２７を受止する、外方と周方向に開口する側面視前向きＬ字状断面の複数(４個)の係止部２０が、凸条１４の上端と近接するようにして、後向きに突設されている。
【００２６】
図２に示すように、基板９の周縁には、係止部１９、２０よりも突出寸法の大きな突片２１が、後向きに突設されている。
基板９における外周部寄りの裏面には、背面板１３取付用の筒状突部２２が、複数突設されている。各筒状突部２２の開口部の内面には、内向き鉤状断面をなす環状の係合爪２２aが突設されている。
【００２７】
背面板１３は、下端部を除く上部が、基板９における突片２１と近接する内側に嵌合されるように、基板９の大きさよりも僅かに小さく形成され、やや後下方に湾曲する下端部の中央部には、支持アーム１０の下端部の裏面と両側面を覆いうる大きさのカバー１３aが、斜め前下方に向かって一体的に連設されている。
【００２８】
背面板１３の下端部の後面中央には、デザイン性に配慮した上下方向を向く複数の補強リブ２３が突設されている。
図７及び図８に示すように、背面板１３の前面には、基板９の複数の筒状突部２２に内嵌される円筒形の軸状突部２４が、前向きに突設され、各軸状突部２４の前端部外周面の一部には、筒状突部２２の係合爪２２aに係合可能な係合片２４aが突設されている。
【００２９】
クッション材１１の表面と基板９の裏面の外周部を覆いうる大きさの方形をなす表皮材１２の周縁には、一部が開口された袋状部２５と、この袋状部２５に挿通され、結び目となる両端部を開口部より突出させた締付紐２６とからなる引締め部２７が設けられている(図４参照)。
【００３０】
次に、背凭れ８の組立て及び表皮材１１の張設要領について説明する。
クッション材１１を、基板９に、その前面と突片２１の外周面を覆うようにして取付けたのち、クッション材１１と基板９の周端部後面を、表皮材１２により覆う。
【００３１】
ついで、締付紐２６の両端部を引っ張り、図４〜図６に示すように、表皮材１２の周縁の引締め部２７が、基板９の裏面の複数の係止部１８、２０に係止されるまで引き締め、締付紐２６の両端部を結合する。これにより、表皮材１２全体が引っ張られた状態で張設される。
【００３２】
ついで、図４に示すように、基板９の後面における左右の凸条１６に、支持アーム１０の上端部を、その後方より、両凸条１６のめねじ孔１７に皿ねじ２８を螺合することにより固着する。
【００３３】
ついで、図７〜図９に示すように、基板９の後面の複数の筒状突部２２に、背面板１３の前面の複数の軸状突部２４を嵌合し、筒状突部２２の係合爪２２aに、軸状突部２４の係合片２４aを係合させることにより、基板９における突片２１よりも内方の裏面に、背面板１３を装着する。
【００３４】
この背面板１３の装着時において、その外周端は、突片２１と係止部１９、２０との間に張設されている表皮材１２の折り返し部１２aにおける突片２１と近接する内方の後面に圧接し、かつこの部分を前方に押圧しながら、突片２１と近接する内側に嵌合される。
【００３５】
上記表皮材１２の折り返し部１２a は、突片２１の後方への突出寸法を、係止部１９、２０のそれよりも大としたことにより、基板９の裏面より離間して張設されている。
そのため、図８及び図９に示すように、折り返し部１２a を基板９の裏面に向かって押圧することが可能となり、先に張設されている表皮材１２に、さらに大きな張力が加わることにより、その張設力が増大するとともに、表皮材１２の周端部が、クッション材１１を介して突片２１の後端に強く圧接するようになるので、基板９に強固に止着される。
【００３６】
また、表皮材１２の折り返し部１２a を強く押圧すると、その反力により、背面板１３の周端部が若干後方に弾性変形させられるため、折り返し部１２a には前向きの弾性押圧力が常時作用し、表皮材１２は常に引っ張られた状態となる。なお、背面板１３の周端部が後方に弾性変形することにより、図８に示すように、筒状突部２２の係合爪２２aと、軸状突部２４の係合片２４aとが、互いにがたなく係合するようになる。
【００３７】
以上説明したように、上記実施形態の表皮材の張設構造においては、表皮材１２は、その周端縁の引締め部２７が、基板９の裏面の複数の係止部１９、２０により受止されて緊締され、かつ折り返し部１２a を背面板１３の外周端により押圧して、基板９の突片２１に強く圧接させているため、基板９の裏面に強固に止着することができる。
【００３８】
しかも、表皮材１２の折り返し部１２a には、背面板１３による弾性押圧力が常時作用し、表皮材１２には常に張力が付与されている。
従って、椅子の使用中に、表皮材１２が伸びたり、クッション材１１の弾性が低下したりしても、表皮材１２が弛む恐れはなく、長期に亘って良好な見栄えを維持することができる。
【００３９】
なお、上記実施形態では、基板９の後面に、係合爪２２aを有する複数の筒状突部２２を、かつ背面板１３の前面に、各筒状突部２２に嵌合可能な係合片２４aを有する複数の軸状突部２４を、それぞれ設けたが、これとは反対に、基板９側に軸状突部２４を、背面板１３側に筒状突部２２を、それぞれ設けてもよい。
また、これらの筒状突部２２及び軸状突部２４を設けないで、基板９の前面または背面板１３の後面より螺合した複数のねじにより、基板９の裏面に後面板１３を装着することもできる。
【００４０】
本発明は、座体７の表皮材を張設する際にも適用することができる。
この際には、クッション材が取り付けられる基板(座板)と、その下面に取り付けられるベース板を、上記基板９及び背面板１３と同様の形状とすればよい。
【図面の簡単な説明】
【００４１】
【図１】本発明を適用した椅子の後方斜視図である。
【図２】同じく、背凭れの基板の後面図である。
【図３】図２のIII-III線拡大横断平面図である。
【図４】基板に、クッション材と表皮材及び支持アームを取付けた状態の後面図である。
【図５】図４のV-V線拡大横断平面図である。
【図６】同じく、VI-VI線拡大縦断側面図である。
【図７】基板に背面板を装着した状態の後面図である。
【図８】図７のVIII-VIII線拡大横断平面図である。
【図９】同じく、IX-IX線拡大縦断側面図である。
【符号の説明】
【００４２】
１    椅子
２    キャスタ
３    脚杆
４    脚体
５    脚柱
６    支基
７    座体
８    背凭れ
９    基板
１０  支持アーム
１１  クッション材
１２  表皮材
１２a 折り返し部
１３  背面板
１３a カバー
１４  凸条
１４a 外周壁
１５  凸条
１６  凸条
１７  めねじ孔
１８  係止片
１９  係止部
２０  係止部
２１  突片
２２  筒状突部
２２a 係合爪
２３  補強リブ
２４  軸状突部
２４a 係合片
２５  袋状部
２６  締付紐
２７  引締め部
２８  皿ねじ
【図１】
2008142209.tif 000003
【図２】
2008142209.tif 000004
【図３】
2008142209.tif 000005
【図４】
2008142209.tif 000006
【図５】
2008142209.tif 000007
【図６】
2008142209.tif 000008
【図７】
2008142209.tif 000009
【図８】
2008142209.tif 000010
【図９】
2008142209.tif 000011